(57)【特許請求の範囲】
【請求項１】
副鏡、この副鏡を支持する副鏡支持部、および上記副鏡を駆動する副鏡駆動部を有する副鏡ユニットを備えた望遠鏡であって、上記副鏡支持部と上記副鏡駆動部には上記副鏡ユニットを上記望遠鏡から吊り上げて取り外すための吊り用部材が設けられたことを特徴とする望遠鏡。
【請求項２】
副鏡ユニットは、副鏡の上に副鏡支持部と副鏡駆動部が順次設けられた構造を有し、上記副鏡支持部の吊り用部材は上記副鏡支持部の軸に対して対称位置の側面に少なくとも２個設けられており、上記副鏡駆動部の吊り用部材は上記副鏡駆動部の上面に設けられたことを特徴とする請求項１記載の望遠鏡。
【請求項３】
副鏡支持部は、この副鏡支持部の天地を反転させる反転装置に取り付けられる反転用部材が設けられたことを特徴とする請求項２記載の望遠鏡。
【請求項４】
請求項１〜３のいずれか一項に記載の望遠鏡の副鏡ユニットを吊り上げて望遠鏡から取り外す第一工程、上記副鏡ユニットが吊られた状態において副鏡支持部の天地を反転させるための反転装置に上記副鏡支持部を取り付ける第二工程、上記副鏡ユニットから副鏡駆動部が取り除かれた状態において上記反転装置を回転して上記副鏡を上記副鏡支持部の上側に位置させる第三工程、および上記副鏡を上記副鏡支持部から分離する第四工程を含むことを特徴とする望遠鏡の副鏡分離方法。
【請求項５】
第一工程は、副鏡支持部の吊り用部材と副鏡駆動部の吊り用部材を介して副鏡ユニットを吊り上げ、第二工程は、上記副鏡支持部の反転用部材を介して反転装置に上記副鏡支持部を取り付けることを特徴とする請求項４記載の望遠鏡の副鏡分離方法。
【請求項６】
第四工程は、副鏡と副鏡支持部との間に隙間を設け、この隙間に吊り上げのためのフレーム部材を差し込んでこのフレーム部材と共に上記副鏡を吊り上げ分離することを特徴とする請求項４記載の望遠鏡の副鏡分離方法。
【請求項７】
請求項２または３に記載の望遠鏡の副鏡ユニットを吊り上げて望遠鏡から取り外すための副鏡ユニット吊り上げ装置、副鏡支持部の天地を反転させるための反転装置、および副鏡を吊り上げて上記副鏡支持部から分離するための副鏡吊り上げ装置を備えたことを特徴とする望遠鏡の副鏡分離装置。
【請求項８】
副鏡ユニット吊り上げ装置は、副鏡駆動部を副鏡ユニットから切り離すためのウインチを有することを特徴とする請求項７記載の望遠鏡の副鏡分離装置。
【請求項９】
副鏡吊り上げ装置は、三本のフレーム部材とこれらフレーム部材を三角状に組み立てるフック掛け孔付のボルトを備えたことを特徴とする請求項７記載の望遠鏡の副鏡分離装置。
【発明の詳細な説明】
【０００１】
【発明の属する技術分野】
本発明は、望遠鏡、特に副鏡ユニットを有するような大型望遠鏡、かかる望遠鏡から副鏡を取り外すための副鏡分離方法および副鏡分離装置に関するものである。
【０００２】
図８は一般的な大型の望遠鏡の説明図であり、図９はそれに取り付けられている副鏡ユニットの拡大説明図である。図８〜図９において、１は望遠鏡本体、２は主鏡、３は副鏡ユニット、４は副鏡ユニットを支持するスパイダ支持体であって、副鏡ユニット３は副鏡３１の上に副鏡支持部３２と副鏡駆動部３３とが順次設けられた構造を有する。このうちの副鏡支持部３２は、望遠鏡本体１の姿勢に基づいて変化する副鏡３１の自重による自己変形を防止するための副鏡支持機構を内蔵するものであり、副鏡駆動部３３は副鏡３１を移動あるいは傾斜させるためのものである。副鏡３１の反射面３１１は、主鏡２に対向している。
【０００３】
副鏡３１は、その反射面３１１に蒸着された反射膜の経時的な劣化による反射率の低下のため、定期的にそれを望遠鏡本体１から取り外して反射膜を再蒸着する必要がある。副鏡３１の反射面３１１は傷付き易いために、副鏡３１の取り外しの際には反射面３１１に取り外し用治具などを接触させることはできない。このために従来は、望遠鏡本体１から副鏡ユニット３を取り外し、ついで副鏡ユニット３の全体の天地を反転して副鏡３１を上にし、最後に最上部の副鏡３１を副鏡ユニット３から分離して取り外す方法が採られていた。
【０００４】
ところで大型の望遠鏡１の副鏡ユニット３は、その総重量が２〜３ｔにもなるので上記の従来法ではかかる高重量の副鏡ユニット３の全体を反転させるために大掛かりな反転装置が必要となり、また反転作業にも大きなスペースが必要となる問題があった。
【０００５】
【発明が解決しようとする課題】
上記した従来技術の問題に鑑みて、本発明は従来と比較して格段に小さな反転装置並びに反転作業スペースにて副鏡を安全に分離することができる望遠鏡、望遠鏡の副鏡分離方法並びに副鏡分離装置を提供することを課題とする。
【０００６】
【課題を解決するための手段】
本発明による望遠鏡は、（１）副鏡、この副鏡を支持する副鏡支持部、および上記副鏡を駆動する副鏡駆動部を有する副鏡ユニットを備えた望遠鏡であって、上記副鏡支持部と上記副鏡駆動部には上記副鏡ユニットを上記望遠鏡から吊り上げて取り外すための吊り用部材が設けられたものである。
（２）上記（１）において、副鏡ユニットは、副鏡の上に副鏡支持部と副鏡駆動部が順次設けられた構造を有し、上記副鏡支持部の吊り用部材は上記副鏡支持部の軸に対して対称位置の側面に少なくとも２個設けられており、上記副鏡駆動部の吊り用部材は上記副鏡駆動部の上面に設けられたものである。
（３）上記（２）において、副鏡支持部は、この副鏡支持部の天地を反転させる反転装置に取り付けられる反転用部材が設けられたものである。
【０００７】
また本発明による望遠鏡の副鏡分離方法は、（４）上記（１）〜（３）のいずれか一項に記載の望遠鏡の副鏡ユニットを吊り上げて望遠鏡から取り外す第一工程、上記副鏡ユニットが吊られた状態において副鏡支持部の天地を反転させるための反転装置に上記副鏡支持部を取り付ける第二工程、上記副鏡ユニットから副鏡駆動部が取り除かれた状態において上記反転装置を回転して上記副鏡を上記副鏡支持部の上側に位置させる第三工程、および上記副鏡を上記副鏡支持部から分離する第四工程を含むものである。
（５）上記（４）において、第一工程は、副鏡支持部の吊り用部材と副鏡駆動部の吊り用部材を介して副鏡ユニットを吊り上げ、第二工程は、上記副鏡支持部の反転用部材を介して反転装置に上記副鏡支持部を取り付けるものである。
（６）上記（４）において、第四工程は、副鏡と副鏡支持部との間に隙間を設け、この隙間に吊り上げのためのフレーム部材を差し込んでこのフレーム部材と共に上記副鏡を吊り上げ分離するものである。
【０００８】
また本発明による望遠鏡の副鏡分離方法は、（７）上記（２）または（３）に記載の望遠鏡の副鏡ユニットを吊り上げて望遠鏡から取り外すための副鏡ユニット吊り上げ装置、副鏡支持部の天地を反転させるための反転装置、および副鏡を吊り上げて上記副鏡支持部から分離するための副鏡吊り上げ装置を備えたものである。
（８）上記（７）において、副鏡ユニット吊り上げ装置は、副鏡駆動部を副鏡ユニットから切り離すためのウインチを有するものである。
（９）上記（７）において、副鏡吊り上げ装置は、三本のフレーム部材とこれらフレーム部材を三角状に組み立てるフック掛け孔付のボルトを備えたものである。
【０００９】
【発明の実施の形態】
実施の形態１．
本発明の望遠鏡についての実施の形態１は、図８に示す従来の望遠鏡とはその副鏡ユニット３がつぎに説明する図１に示す副鏡ユニット３にて置換された点において異なるものである。よって以下において、本発明の望遠鏡の説明にはかかる相違点を考慮のうえで図８を利用するものとする。
図１は、本発明の望遠鏡において用いられる副鏡ユニットの説明図であって、副鏡ユニット３は、副鏡３１の上に副鏡支持部３２と副鏡駆動部３３とが順次設けられた構造を有し、副鏡３１と副鏡支持部３２、並びに副鏡支持部３２と副鏡駆動部３３は、いずれも従来の副鏡ユニットと同様に、ボルト止めにて結合されている。副鏡支持部３２の側面には、２個の吊り用部材３２１と２個の反転用部材３２３とが中心角９０°置きにボルト止めされている。２個の吊り用部材３２１は、共に逆Ｕ字金具３２２を有し互いに副鏡支持部３２の軸に対して対称位置に当たる側面の２か所に設けられている。一方、２個の反転用部材３２３は、共に２個一組のボルト孔３２４を有し互いに副鏡支持部３２の軸に対して対称位置に当たる側面の２か所に設けられている。また副鏡駆動部３３は、その上面にネジ止めされた２個の吊り用部材３３１を有する。
【００１０】
上記の副鏡ユニット３は、その副鏡３１の反射面３１１が主鏡２（図８参照）と対向するようにスパイダ支持体４により従来と同様にボルト止めされている。なお本発明の望遠鏡においては、常時は上記の吊り用部材３２１や反転用部材３２３は副鏡ユニット３から取り外しておき、望遠鏡から副鏡３１を分離する際に設置してもよい。
【００１１】
実施の形態２．
図２〜図７は、本発明における望遠鏡の副鏡分離方法および副鏡分離装置に就いての実施の形態２を説明するための説明図である。
【００１２】
図２は、前記（４）における第一工程を説明するものであって、吊り上げ装置４を用いて望遠鏡（図８参照）から図１の副鏡ユニット３を吊り上げて取り外した状態を示す。吊り上げ装置４は、吊り上げ本体４１と２個のウインチ４２を有する。副鏡ユニット３の軸に直交する方向における副鏡支持部３２、副鏡駆動部３３、および副鏡３１の各円形断面の径は、副鏡支持部３２と副鏡駆動部３３とは互いに略同じであり、副鏡３１はそれらよりやや大きいが、吊り上げ本体４１は、副鏡３１の円形断面の径より少し長い機械的に丈夫な板状物であって、その上側の中央に工場の天井走行クレーン（図示せず）から延びるフック５を掛けるためのフック掛け孔４１２を穿孔した突起４１１を有し、さらに上記板状物の長手方向に４個のフック掛け孔４１３〜４１６を有する。
【００１３】
副鏡ユニット３の吊り上げに際しては、２個のウインチ４２の各上側フックを吊り上げ本体４１のフック掛け孔４１３と４１６に掛け、各下側フックを上記の逆Ｕ字金具３２２に掛ける。一方、副鏡駆動部３３の上面に設けられている２個のフック掛け部３３１と吊り上げ本体４１のフック掛け孔４１４と４１５との間もフック付きのワイヤにより結合し、ついで２個のウインチ４２を働かせて図示する４本のワイヤに弛みがない状態とし、最後に工場の天井走行クレーンを利用して吊り上げ装置４と共に副鏡ユニット３を吊り上げる。なお副鏡ユニット３は、常時はスパイダ支持体４にボルト止めされているので、上記した工場の天井走行クレーンによる吊り上げに先立ってこのボルト止めを外す。
【００１４】
図３は、前記（４）における第二工程を説明するものであって、副鏡ユニット３が吊られた状態において副鏡支持部３２の天地を反転させるための反転装置６に副鏡支持部３２が取り付けられ、且つ副鏡ユニット３を副鏡支持部３２と副鏡駆動部３３との間で分離した状態を示す。
【００１５】
反転装置６は、基礎部６１と四角枠状の回転部位６２とから構成されており、基礎部６１は一対の回転支柱６１１を有し、回転部位６２はその回転支柱６１１に回転自在に設置されている。
【００１６】
図２の状態から図３の状態にもたらすには、先ず副鏡支持部３２と副鏡駆動部３３とを結合しているボルト止めを外してその結合を解き、ついで２個のウインチ４２を働かせて副鏡駆動部３３と副鏡支持部３２との間隔をあける。ついで天井走行クレーンを操作して副鏡支持部３２の２個の吊り用部材３２１と２個の反転用部材３２３とが回転部位６２の上に乗るようにした後、２個の反転用部材３２３をそのボルト孔３２４を利用して回転部位６２にボルト止めして図３の状態にもたらす。そのとき２個の吊り用部材３２１は、回転部位６２上では非固定の状態にて乗っているだけであってもよいが、後記する回転部位６２の回転の際に副鏡３１と副鏡支持部３２の結合体が不安定となる場合には、それらも回転部位６２にボルト止めあるいはその他の方法により固定するとよい。ボルト止めする場合には、吊り用部材３２１にもボルト孔を設けておく。
【００１７】
なお上記とは手順を逆にして、副鏡支持部３２と副鏡駆動部３３との結合を解く前に、天井走行クレーンを操作して副鏡ユニット３を回転部位６２の上に移動させ、ついで副鏡支持部３２の反転用部材３２３を回転部位６２に固定し、最後にウインチ４２を働かせて副鏡駆動部３３と副鏡支持部３２との間隔をあけるようにしてもよい。
【００１８】
図４は、前記（４）における第三工程を説明するものであって、副鏡ユニット３から副鏡駆動部３３が取り除かれた状態において反転装置６の回転部位６２を回転して副鏡３１を副鏡支持部３２の上側に移動させた状態を示す。
【００１９】
図５は、前記（４）における第四工程、即ち副鏡３１を副鏡支持部３２から分離する工程を説明するものである。図５において７は副鏡吊り上げ装置であって、図６〜図７にその詳細構造を示す。図６は副鏡吊り上げ装置７の上面図であり、図７はその側面図である。副鏡吊り上げ装置７は、長さの等しい３枚のフレーム部材７１とホック掛け孔７２１を有するボルト７２とから構成されており、３枚のフレーム部材７１はボルト７２により図６に示すように正三角形状に組み合わされる。
【００２０】
副鏡３１の吊り上げに際しては、先ず副鏡３１と副鏡支持部３２とを結合しているボルト止めを外してその結合を解き、ついで適当な方法により副鏡３１と副鏡支持部３２との接触面間にフレーム部材７１を差し込み得る隙間をあける。その隙間あけは、例えば副鏡支持部３２内を軸方向に貫通する複数の貫通孔（図示せず）を利用してそれらの貫通孔にジャッキを差し込み、副鏡支持部３２の図５での下面（図３では上面）を支点として副鏡３１を副鏡支持部３２からジャッキアップすることにより達成することができる。副鏡３１と副鏡支持部３２との間に隙間ができると、そこに３枚のフレーム部材７１を差し込み、ボルト７２を用いてそれら３枚を図５および図６に示す通りに正三角形状に組み合わせる。
なお副鏡３１は、フレーム部材７１と直接接触することにより傷が付く危険がある場合には、フレーム部材７１の副鏡３１と直接接触する箇所の表面にフェルトなどの傷付きを防止し得る材料の層を設けるとよい。
【００２１】
ついで天井走行クレーンから延びるフック５と３個のボルト７２の各ホック掛け孔７２１とを連結して天井走行クレーンにて副鏡３１を副鏡吊り上げ装置７と共に吊り上げて副鏡３１を蒸着工場に移送する。
【００２２】
【発明の効果】
本発明の望遠鏡は以上説明した通り、副鏡、この副鏡を支持する副鏡支持部、および上記副鏡を駆動する副鏡駆動部を有する副鏡ユニットを備えた望遠鏡であって、上記副鏡支持部と上記副鏡駆動部には上記副鏡ユニットを上記望遠鏡から吊り上げて取り外すための吊り用部材が設けられたものであるから、これら吊り用部材を介して副鏡ユニットを工場の天井走行クレーンなどにより望遠鏡から吊り上げて取り外すことができる。さらに吊り用部材が副鏡支持部と副鏡駆動部の両方に存在するので、副鏡ユニットを吊り上げた状態のままでウインチなどを利用して副鏡駆動部を副鏡ユニットから切り離すことができる。この切り離しにより、副鏡駆動部を含まない副鏡ユニット、即ち副鏡と副鏡支持部だけの結合体の取扱が可能となる。この結合体は、副鏡駆動部を含む副鏡ユニットと比較して格段に低重量にして且つ嵩が小さいので、副鏡分離の際の取扱が容易である。
【００２３】
さらに副鏡ユニットは、副鏡の上に副鏡支持部と副鏡駆動部が順次設けられた構造を有し、上記副鏡支持部の吊り用部材は上記副鏡支持部の軸に対して対称位置の側面に少なくとも２個設けられており、上記副鏡駆動部の吊り用部材は上記副鏡駆動部の上面に設けられることにより、吊り上げた状態における副鏡ユニットの姿勢の安定性が良好であるので副鏡駆動部の副鏡ユニットからの切り離し作業が容易となり、また副鏡と副鏡支持部との結合体の前記図４に示すような反転装置への取り付けも容易となる。
【００２４】
さらに副鏡支持部は、この副鏡支持部の天地を反転させる反転装置に取り付けられる反転用部材が設けられることにより、この反転装置への副鏡支持部の取り付けが容易となる。
【００２５】
本発明の望遠鏡の副鏡分離方法は以上説明した通り、前記望遠鏡の副鏡ユニットを吊り上げて望遠鏡から取り外す第一工程、上記副鏡ユニットが吊られた状態において副鏡支持部の天地を反転させるための反転装置に上記副鏡支持部を取り付ける第二工程、上記副鏡ユニットから副鏡駆動部が取り除かれた状態において上記反転装置を回転して上記副鏡を上記副鏡支持部の上側に位置させる第三工程、および上記副鏡を上記副鏡支持部から分離する第四工程を含むものであるから、副鏡ユニットと比較して格段に低重量にして且つ嵩が小さい副鏡と副鏡支持部との結合体を反転させる反転装置は小型のものでよく、反転作業に必要なスペースも小さくてよい。
【００２６】
さらに上記第一工程は、副鏡支持部の吊り用部材と副鏡駆動部の吊り用部材を介して副鏡ユニットを吊り上げ、上記第二工程は、上記副鏡支持部の反転用部材を介して反転装置に上記副鏡支持部を取り付けることにより、前記した通り、吊り上げた状態における副鏡ユニットの姿勢の安定性が良好であるので副鏡駆動部の副鏡ユニットからの切り離し作業が容易となり、また副鏡と副鏡支持部との結合体の反転装置への取り付けも容易となる。
【００２７】
さらに上記第四工程は、副鏡と副鏡支持部との間に隙間を設け、この隙間に吊り上げのためのフレーム部材を差し込んでこのフレーム部材と共に上記副鏡を吊り上げ分離することにより、副鏡を損傷させるような外力をかけることなく副鏡をフレーム部材と共に吊り上げてそのまま蒸着工場に移送することができる。
【００２８】
本発明の望遠鏡の副鏡分離装置は以上説明した通り、前記望遠鏡の副鏡ユニットを吊り上げて望遠鏡から取り外すための副鏡ユニット吊り上げ装置、副鏡支持部の天地を反転させるための反転装置、および副鏡を吊り上げて上記副鏡支持部から分離するための副鏡吊り上げ装置を備えたものであるから、副鏡ユニット吊り上げ装置による副鏡ユニットの望遠鏡からの吊り上げによる取り外し、反転装置による副鏡と副鏡支持部の結合体の天地反転、および副鏡吊り上げ装置による副鏡の吊り上げ分離が可能となる。
【００２９】
さらに副鏡ユニット吊り上げ装置は、副鏡駆動部を副鏡ユニットから切り離すためのウインチを有するので、副鏡ユニットを吊り上げ状態のままで副鏡駆動部を副鏡ユニットから容易に切り離すことができる。
【００３０】
さらに副鏡吊り上げ装置は、三本のフレーム部材とこれらフレーム部材を三角状に組み立てるフック掛け孔付のボルトを備えたものであるから、副鏡と副鏡支持部との間に隙間を設けた後に、この隙間に三本のフレーム部材を差し込んでこれらフレーム部材をフック掛け孔付のボルトを用いて三角状に組み立てることができる。副鏡吊り上げ装置は、かく組み立てられて副鏡を損傷させるような外力をかけることなく副鏡と共に吊り上げられてそのまま蒸着工場に移送することができる。
【図面の簡単な説明】
【図１】本発明の望遠鏡についての実施の形態１において用いられる副鏡ユニットの説明図である。
【図２】本発明の望遠鏡の副鏡分離方法および副鏡分離装置に就いての実施の形態２を説明するための説明図である。
【図３】本発明の望遠鏡の副鏡分離方法および副鏡分離装置に就いての実施の形態２を説明するための説明図である。
【図４】本発明の望遠鏡の副鏡分離方法および副鏡分離装置に就いての実施の形態２を説明するための説明図である。
【図５】本発明の望遠鏡の副鏡分離方法および副鏡分離装置に就いての実施の形態２を説明するための説明図である。
【図６】本発明の実施の形態２において用いられる副鏡吊り上げ装置の上面図である。
【図７】本発明の実施の形態２において用いられる副鏡吊り上げ装置の側面図である。
【図８】従来の望遠鏡の説明図である。
【図９】従来の望遠鏡における副鏡ユニットの拡大説明図である。
【符号の説明】
１  望遠鏡本体、３  副鏡ユニット、３１  副鏡、３２  副鏡支持部、
３３  副鏡駆動部、３２１  吊り用部材、３２３  反転用部材、
４  吊り上げ装置、４１  吊り上げ本体、４２  ウインチ、６  反転装置、
６２  回転部位、７  副鏡吊り上げ装置、７１  フレーム部材。
【図１】
0003548705.tif 000002
【図２】
0003548705.tif 000003
【図３】
0003548705.tif 000004
【図４】
0003548705.tif 000005
【図５】
0003548705.tif 000006
【図６】
0003548705.tif 000007
【図７】
0003548705.tif 000008
【図８】
0003548705.tif 000009
【図９】
0003548705.tif 000010